(57)【要約】【課題】ビッグバン理論に基づく宇宙の実観構造を、比較的容易に理解することができる、実観構造宇宙儀を提供する。【解決手段】この実観構造宇宙儀１０は、ビッグバン理論に基づく宇宙の実観構造を理解するためのものであって、片面に宇宙の全体像を示す表示面２１が設けられた円形表示部２０と、円形表示部２０の表示面２１の中心２３に一端を支持されて、表示面２１に沿って回転可能に取付けられた因果時間軸５０と、円形表示部２０の表示面２１の周縁２５の一箇所に表示された、地球の現在位置を示す観測点６０と、観測点６０から観測できる宇宙の範囲を示すように表示面２１上に表示された観測宇宙領域７０とを備えている。【選択図】図１
2019144356.tif 000002
【特許請求の範囲】
【請求項１】
ビッグバン理論に基づく宇宙の実観構造を理解するための実観構造宇宙儀であって、
片面に宇宙の全体像を示す表示面が設けられた円形表示部と、
前記円形表示部の前記表示面の中心に一端を支持されて、前記表示面に沿って回転可能に取付けられた因果時間軸と、
前記円形表示部の前記表示面の周縁の一箇所に表示された、地球の現在位置を示す観測点と、
前記観測点から観測できる宇宙の範囲を示すように前記表示面上に表示された観測宇宙領域とを備えていることを特徴とする実観構造宇宙儀。
【請求項２】
前記表示面が垂直となり、かつ、前記観測点が真下に向くように、前記円形表示部を支持する支柱と、該支柱の下端部を支持する水平基板とを更に備えており、前記因果時間軸は、重力によって垂下して、その先端が前記観測点を指向するように構成されている、請求項１記載の実観構造宇宙儀。
【請求項３】
前記支柱には、前記水平基板より上方部分に、前記水平基板よりも小径の棚板が取付けられ、該棚板の更に上方であって、前記円形表示部と前記棚板との間に、地球を表す球体が取付けられており、前記水平基板上には銀河系を中心とする宇宙の模式図が表示され、前記棚板上には太陽系の模式図が表示されている、請求項２記載の実観構造宇宙儀。
【請求項４】
前記円形表示部の表示面を覆う透明カバーが取付けられ、前記透明カバーの下方部分は、左右両側に分かれて下方に延出されて前記水平基板に連結されており、前記因果時間軸は、透明カバーの外側に取付けられている、請求項２又は３記載の実観構造宇宙儀。
【請求項５】
前記透明カバーは、前記地球を表す球体の両側を通って下方に伸びて、前記水平基板に連結されており、前記地球を表す球体の一側方に位置する透明カバーには、ある場所のある日時の日の出の写真が配置されており、前記球体の反対側の側方に位置する透明カバーには、同じ場所の太陽の光が地球に届く時間分経過後の日の出の写真が配置されている、請求項４記載の実観構造宇宙儀。
【請求項６】
前記円形表示部の表示面の裏側には、前記円形表示部の周縁に整合する外周縁を有する半球体が取付けられている、請求項１〜５のいずれか１項に記載の実観構造宇宙儀。
【発明の詳細な説明】
【技術分野】
【０００１】
本発明は、ビッグバン理論に基づく宇宙の実観構造を理解するための、宇宙儀に関する。
【背景技術】
【０００２】
ビッグバン理論とは、宇宙は、非常に高温高密度の状態から始まり、それが爆発的に膨張して（ビッグバン）低温低密度になっていき、宇宙が創造されたとするものであって、現在では、定常宇宙論（宇宙は不変で定常的とする理論）よりも多くの学者に支持されている。ただし、この「ビッグバン理論」は、言葉だけは知られているが、その内容が深く理解されているとは言い難く、結局のところ、宇宙の構造がどのようになっているかは把握しにくい。そのため、ビッグバン理論に基づいて、実際には宇宙がどのように観測されるか、すなわち、宇宙の実観構造を、容易に理解できるようなものが望まれているが、そのようなものは見当たらない。
【０００３】
一方、太陽系の構造を把握しやすくするものとして、例えば、下記特許文献１には、支持台に太陽模型が支持され、この太陽模型を中心として、その外周に、水星模型、金星模型、地球模型、火星模型等を、所定長さの連結棒を介して連結してなる、宇宙儀が記載されている。また、下記特許文献２には、基台に立設された脚体の頂部に取付けられた太陽模型を有しており、この太陽模型の外周に、回転アームや連結アーム等を介して地球模型が配置され、この地球模型の周囲に月模型が配置された構造をなす、宇宙儀が記載されている。
【先行技術文献】
【特許文献】
【０００４】
【特許文献１】実用新案登録第３１６３６７１号公報
【特許文献２】実公平１−９９７４号公報
【発明の概要】
【発明が解決しようとする課題】
【０００５】
しかしながら、上記特許文献１，２のいずれの宇宙儀も、太陽模型を中心に地球模型等が配置されたものであり、ビッグバン理論に基づく宇宙の実観構造を、把握することはできない。
【０００６】
したがって、本発明の目的は、ビッグバン理論に基づく宇宙の実観構造を、比較的容易に理解することができる、宇宙儀を提供することにある。
【課題を解決するための手段】
【０００７】
上記目的を達成するため、本発明は、ビッグバン理論に基づく宇宙の実観構造を理解するための実観構造宇宙儀であって、片面に宇宙の全体像を示す表示面が設けられた円形表示部と、前記円形表示部の前記表示面の中心に一端を支持されて、前記表示面に沿って回転可能に取付けられた因果時間軸と、前記円形表示部の前記表示面の周縁の一箇所に表示された、地球の現在位置を示す観測点と、前記観測点から観測できる宇宙の範囲を示すように前記表示面上に表示された観測宇宙領域とを備えていることを特徴とする。
【０００８】
本発明によれば、地球上の観測点から観測できる宇宙の範囲が、宇宙全体に対してどのような範囲になっているかを、観測宇宙領域によって把握することができる。また、因果時間軸上の前記表示面の中心からの距離によって、その位置にある宇宙の姿が宇宙の始まりからどのくらい経った姿であるか、あるいは現在からどのくらい前の姿であるかを把握することができる。更に、因果時間軸を回転させて、その先端を前記表示面の周縁の任意の位置に配置したとき、その位置から観測できる観測宇宙領域が、地球上の観測点から観測できる観測宇宙領域とどのように違ってくるかを把握することができる。以上の結果、ビッグバン理論に基づく宇宙の実観構造を、比較的容易に理解することができる。
【０００９】
本発明の実観構造宇宙儀においては、前記表示面が垂直となり、かつ、前記観測点が真下に向くように、前記円形表示部を支持する支柱と、該支柱の下端部を支持する水平基板とを更に備えており、前記因果時間軸は、重力によって垂下して、その先端が前記観測点を指向するように構成されていることが好ましい。
【００１０】
上記態様によれば、水平基板と支柱によって表示面が垂直になるように円形表示部を支持することにより、表示面を見やすくすることができると共に、因果時間軸が垂下して、その先端が地球上の観測点を指向することによって、観測点に至る宇宙の変遷を理解しやすくすることができる。
【００１１】
本発明の実観構造宇宙儀においては、前記支柱には、前記水平基板より上方部分に、前記水平基板よりも小径の棚板が取付けられ、該棚板の更に上方であって、前記円形表示部と前記棚板との間に、地球を表す球体が取付けられており、前記水平基板上には銀河系を中心とする宇宙の模式図が表示され、前記棚板上には太陽系の模式図が表示されていることが好ましい。
【００１２】
上記態様によれば、円形表示部の表示面の観測点の下方に、観測点がある地球、その地球の周りに広がる太陽系、太陽系が存在する銀河系を段階的に表示することにより、地球から観察できる宇宙の広がりを把握しやすくすることができる。
【００１３】
本発明の実観構造宇宙儀においては、前記円形表示部の表示面を覆う透明カバーが取付けられ、前記透明カバーの下方部分は、左右両側に分かれて下方に延出されて前記水平基板に連結されており、前記因果時間軸は、透明カバーの外側に取付けられていることが好ましい。
【００１４】
上記態様によれば、下方に延出されて水平基板に連結された透明カバーによって、前記円形表示部をより安定して支持することができると共に、円形表示部の表示面の汚れ等を防ぐことができる。
【００１５】
本発明の実観構造宇宙儀においては、前記透明カバーは、前記地球を表す球体の両側を通って下方に伸びて、前記水平基板に連結されており、前記地球を表す球体の一側方に位置する透明カバーには、ある場所のある日時の日の出の写真が配置されており、前記球体の反対側の側方に位置する透明カバーには、同じ場所の太陽の光が地球に届く時間分経過後の日の出の写真が配置されていることが好ましい。
【００１６】
上記態様によれば、球体の一側方に表示された、ある場所のある日時に見える日の出の写真は、実際には太陽の光が地球に届く時間分前の太陽の姿を見ているのであり、そのときの実際の太陽の位置は、球体の他側方に表示された写真に示される位置であることを理解しやすくすることができる。
【００１７】
本発明の宇実観構造宙儀においては、前記円形表示部の表示面の裏側には、前記円形表示部の周縁に整合する外周縁を有する半球体が取付けられていることが好ましい。
【００１８】
上記態様によれば、円形表示部の表示面の裏側に半球体が取付けられていることにより、宇宙の広がりを三次元的に把握することができる。
【発明の効果】
【００１９】
本発明によれば、地球上の観測点から観測できる宇宙の範囲が、宇宙全体に対してどのような範囲になっているかを、観測宇宙領域によって把握することができると共に、因果時間軸上の円形表示部の中心からの距離によって、その位置にある宇宙の姿が宇宙の始まりからどのくらい経った姿であるか、あるいは現在からどのくらい前の姿であるかを把握することができ、更に因果時間軸を回転させて、その先端を表示面の周縁の任意の位置に配置したとき、その位置から観測できる観測宇宙領域が、地球上の観測点から観測できる観測宇宙領域とどのように違ってくるかを把握することができ、その結果、ビッグバン理論に基づく宇宙の実観構造を、比較的容易に理解することができる。
【図面の簡単な説明】
【００２０】
【図１】本発明に係る実観構造宇宙儀の一実施形態を示しており、その斜視図である。
【図２】同実観構造宇宙儀の側面図である。
【図３】同実観構造宇宙儀の、要部拡大正面図である。
【発明を実施するための形態】
【００２１】
以下、図１〜３を参照して、本発明に係る実観構造宇宙儀の一実施形態について説明する。
【００２２】
図１に示すように、この実観構造宇宙儀１０（以下、単に「宇宙儀１０」ともいう）は、ビッグバン理論に基づく宇宙の実観構造を理解するためのものであって、片面に宇宙の全体像を示す表示面２１が設けられた、円形をなした円形表示部２０を有している。図３を併せて参照すると、前記表示面２１は、中心２３から一定半径で形成された円形状をなしている。そして、この表示面２１の中心２３が、ビッグバン理論における、宇宙の始まりであるビッグバンを示している。また、表示面２１の周縁２５が、ビッグバンから現在に至るまで、すなわちビッグバンから所定期間経過（一般的には１３８億光年といわれている）した際の、膨張した宇宙の外縁を示している。なお、本発明における「ビッグバン理論」とは、宇宙は、非常に高温高密度の状態から始まり、それが爆発的に膨張して（ビッグバン）低温低密度になっていき、宇宙が創造されたとする膨張宇宙論のことを意味する。
【００２３】
また、図２に示すように、この円形表示部２０の表示面２１の裏側には、球を２分割してなる半球体２７が、円形表示部２０に対して一体的に取付けられている。なお、半球体２７の外周縁は、円形表示部２０の周縁に整合している（図１参照）。また、この実施形態の半球体２７は中空状をなし、同半球体２７の平坦な分割面側に、円形表示部２０が配置された構造となっており、半球体２７と円形表示部２０とが一体形成されている。但し、円形表示部２０と半球体２７とを別体としてもよい。また、半球体２７を、円形表示部２０の裏面側に取付けなくともよく、円形表示部２０のみとしてもよい。なお、円形表示部２０は円板状としてもよい。
【００２４】
更に図１及び図２に示すように、円形表示部２０は、その表示面２１が垂直となるように、支柱３５や、透明カバー３０、背面支持板３３を介して、円板状をなした水平基板３７に支持されるようになっている。
【００２５】
具体的に説明すると、円形表示部２０の表示面２１の表面側に、透明な合成樹脂やガラス等からなる透明カバー３０が、図示しないネジ等を介して取付けられている。また、この透明カバー３０は、その上方部分が、円形表示部２０の表示面２１の周縁２５に整合する形状をなしている。更に透明カバー３０の下方部分は、左右両側に二股上に分かれて、下方に向けて延出する脚部３１，３２をなしている。この左右一対の脚部３１，３２は、下端に向けて次第に幅狭となり、各脚部３１の下端部が、水平基板３７の上面の、対向する外周縁部にそれぞれ連結されることで、円形表示部２０が支持される。
【００２６】
また、図１に示すように、前記一対の脚部３１，３２の上方内側には、後述する地球を表す球体４３が配置されるようになっている。この球体４３と透明カバー３０との関係について説明すると、透明カバー３０を構成する一対の脚部３１，３２は、球体４３の両側を通って下方に伸びて、水平基板３７に連結された構造となっている。また、図１に示すように、透明カバー３０の、球体４３の一側方に位置する、一方の脚部３１には、ある場所のある日時の、日の出の写真Ｆ１が配置されており、球体４３の反対側の側方（他側方）に位置する、他方の脚部３２には、写真Ｆ１と同じ場所において、太陽の光が地球に届く時間分（一般的に８分２０秒とされる）経過後の、日の出の写真Ｆ２が配置されている。すなわち、写真Ｆ１における地平線に対する太陽の位置よりも、写真Ｆ２における地平線に対する太陽の位置の方が、上記時間経過分だけ高い位置となっている。
【００２７】
また、図２に示すように、半球体２７の背面側外周からは、略三角板状をなした背面支持板３３が延設されている。この背面支持板３３の幅狭の下端部が、水平基板３７の上面の外周縁部であって、前記一対の脚部３１，３２の下端部が連結された部分の間に連結されており（図１参照）、半球体２７及び円形表示部２０が支持されている。
【００２８】
更に、円形表示部状をなした水平基板３７の径方向中心から、丸棒状をなした支柱３５が延出しており、同支柱３５の上端部が、透明カバー３０の一対の脚部３１，３２の、各上端部の間に位置する谷状の支持部３４に連結されており、それによって透明カバー３０を支持している。すなわち、この支柱３５は、円形表示部２０の表示面２１に取付けられた透明カバー３０を介して、円形表示部２０を支持するようになっている。
【００２９】
また、図１に示すように、前記支柱３５には、水平基板３７よりも上方部分に、水平基板３７よりも小径の円板状をなした棚板３９が取付けられている。この棚板３９の径方向中心に支柱３５が挿通され固定されることで、棚板３９が支柱３５に取付けられていると共に、棚板３９の周縁部が、透明カバー３０の一対の脚部３１，３２の側面、及び、背面支持板３３の側面にそれぞれ支持されている。更に、前記水平基板３７の径方向中心からは、複数（ここでは３本）の補助支柱４１が延設され、その先端部が棚板３９の周縁部に連結されており、棚板３９をより安定して支持可能となっている。
【００３０】
また、図１に示すように、棚板３９の更に上方であって、円形表示部２０と棚板３９との間に、地球を表す球体４３が取付けられている。ここでは、透明カバー３０の支持部３４と、一対の脚部３１，３２と、棚板３９との間に、球体４３が配置されていると共に、球体４３の軸心に挿通された支柱３５によって支持されている。更に、前記水平基板３７上には、銀河系を中心とする宇宙の模式図Ｍ１が表示されており、前記棚板３９上には太陽系の模式図Ｍ２が表示されている。
【００３１】
更に、円形表示部２０の中心２３には、所定長さで長板状に伸びる因果時間軸５０が、表示面２１に沿って回転可能に取付けられている。この実施形態における因果時間軸５０は、所定長さで伸びた細長板状をなしており、その長手方向の先端５１は、先細テーパ状をなし最先端が尖った形状となっている。また、図１に示すように、円形表示部２０の表示面２１を覆う透明カバー３０の外側（表面側）であって、表示面２１の中心２３に整合する位置に、ボルト等からなる支軸５５が突設されており、この支軸５５に、因果時間軸５０の長手方向の基端５３が軸支されて、表示面２１に因果時間軸５０が回転可能に取付けられている。また、この因果時間軸５０は、常時は、重力によって表示面２１の中心２３から垂下するように支持されており、その先端５１が観測点６０を指向するようになっている。なお、因果時間軸５０には、後述する表示面２１上の目盛り２８と同様の、目盛り（例えば、１単位が１０億光年としたもの）が付されていることが好ましい。
【００３２】
更に、円形表示部２０の表示面２１の周縁２５（すなわち、表示面２１の中心２３であるビッグバンから所定期間経過した際の、膨張した宇宙の外縁）の一箇所に、地球の現在位置を示す観測点６０が表示されている。図１や図３に示すように、この実施形態においては、垂直に支持された表示面２１に対して、真下となるように円形状の観測点６０が設けられている。すなわち、表示面２１の上下方向に沿って伸び、表示面２１の中心２３を通る垂直線Ｌが、表示面２１の周縁２５の下方部分に交差する位置に、観測点６０が配置されている（図３参照）。
【００３３】
更に表示面２１には、前記垂直線Ｌに直交して伸び、表示面２１の中心２３を通る水平線７３が設けられている。また、中心２３から半径方向に周縁２５に至る部分には、所定間隔で同心円状に時間軸の目盛り７５，７７，７９，８１が記載されている。なお、同様な目盛りが因果時間軸５０の長さ方向に沿って記載されていてもよい。また、表示面２１の周縁２５には、周方向に均等な間隔をあけて目盛り２８が複数付されている。この目盛り２８は、宇宙の現在の位置を表す指標となる。
【００３４】
また、この宇宙儀１０においては、上記観測点６０から観測できる宇宙の範囲を示すように、表示面２１上に表示された観測宇宙領域７０を有している。図３に示すように、観測宇宙領域７０は、現在の地球から観測することができる宇宙の領域を示すもので、この実施形態では、境界線７１を外周とする球形状の内側の表面部分として表されている。すなわち、ビッグバンの始まりを表す中心２３を通る上記水平線７３を接線とする円を周縁とする球形状の内側表面をなす領域となる。なお、本発明において「観察できる」とは、肉眼、望遠鏡等の光学機器、電波望遠鏡等の電子機器を利用して、地球から観察できることを意味している。
【００３５】
次に、上記構成からなる宇宙儀１０の使用方法について説明する。ビッグバンの理論によれば、ビッグバンの中心２３から始まって、膨張途上の時間軸の目盛り７５，７７，７９，８１を経過して、宇宙は膨張し続けており、現在の宇宙は周縁２５上にある。我々の地球が存在する観測点６０は、膨張する現在の宇宙の１点でしかない。この観測点６０から観測できる宇宙は、そのときに宇宙から観測点６０に届く光によって確認できる残像としての宇宙だけである。
【００３６】
光の速度は有限であるため、我々の地球が存在する観測点６０から離れた位置にある現在の宇宙、すなわち周縁２５に沿った他の位置にある宇宙は、観測点６０から観測することができない。言い換えると、観測点６０から観測することができる宇宙は、多かれ少なかれ過去の宇宙ということになる。しかも、観測点６０とは、大きく離れた方向に広がる宇宙、例えば図３のＰ４，Ｐ５，Ｐ６の位置にある宇宙は、そこから放たれた光が、観測点６０の宇宙の膨張速度に追いつくことができず、観測点６０に永遠に到達しないので、観測点６０からは観測することができない宇宙となる。
【００３７】
したがって、観測点６０から観測できる宇宙は、宇宙全体の一部でしかなく、この宇宙儀では、それを境界線７１で囲まれた観測宇宙領域７０として表している。観測宇宙領域７０は、境界線７１で囲まれた球形状の内側の表面部分にあり、その領域の宇宙は、宇宙の始まりから所定時間を経た過去の宇宙から発せられた光が、現在の宇宙の１点である観測点６０に届き、我々が現在観測できる宇宙となっているのである。例えば図３のＰ１で示される宇宙は、宇宙の始まりから時間軸の目盛り７５の位置で光が発せられ、その光が内側表面の経路ｒ１を通って観測点６０に到達し、我々は、時間軸の目盛り７５で示される過去に遡ってその位置にある宇宙を観測していることになる。同様にして、観測宇宙領域７０の内側にあるＰ２，Ｐ３で表される宇宙も、そこから発せられた光が観測点６０に到達することができるが、観測点６０から観測できる、Ｐ２，Ｐ３の宇宙は、それらが位置する時間軸上の過去の宇宙なのである。
【００３８】
このように、この宇宙儀１０によれば、片面に宇宙の全体像を示す表示面２１が設けられた円形表示部２０と、表示面２１の中心２３に基端５３（本発明における「一端」）を支持され、表示面２１に沿って回転可能に取付けられた因果時間軸５０と、表示面２１の周縁２５の一箇所に表示された地球の現在位置を示す観測点６０と、観測点６０から観測できる宇宙の範囲を示すように表示面２１上に表示された観測宇宙領域７０とを備えているので、地球上の観測点６０から観測できる宇宙の範囲が、宇宙全体に対してどのような範囲になっているかを、観測宇宙領域７０によって把握することができる。また、因果時間軸５０上の、表示面２１の中心２３からの距離によって、その位置にある宇宙の姿が、宇宙の始まりからどのくらい経った姿であるか、あるいは現在からどのくらい前の姿であるかを把握することができる。
【００３９】
更に、因果時間軸５０を回転させて、その先端５１を表示面２１の周縁２５の任意の位置に配置したとき、その位置から観測できる観測宇宙領域が、地球上の観測点６０から観測できる観測宇宙領域とどのように違ってくるかを把握することができる。例えば、図３に示すように、因果時間軸５０の先端５１を、表示面２１のＰ４上に配置した状態では、その位置から観測できる観測宇宙領域７０´は、図３の想像線で示すような位置となり、Ｐ４からの観測宇宙領域７０´を把握することができる。
【００４０】
また、図１や図２に示すように、この実施形態においては、表示面２１が垂直となり、かつ、観測点６０が真下に向くように、円形表示部２０を支持する支柱３５と、該支柱３５の下端部を支持する水平基板３７とを更に備えており、因果時間軸５０は、重力によって垂下して、その先端５１が観測点６０を指向するように構成されている。このように、水平基板３７と支柱３５によって表示面２１が垂直になるように円形表示部２０を支持することにより（図１及び図２参照）、表示面２１を見やすくすることができると共に、因果時間軸５０が垂下して、その先端５１が地球上の観測点６０を指向することによって、観測点６０に至る宇宙の変遷を理解しやすくすることができる。
【００４１】
更に図１に示すように、この実施形態においては、支柱３５には、水平基板３７より上方部分に、水平基板３７よりも小径の棚板３９が取付けられ、該棚板３９の更に上方であって、円形表示部２０と棚板３９との間に、地球を表す球体４３が取付けられており、水平基板３７上には銀河系を中心とする宇宙の模式図Ｍ１が表示され、棚板３９上には太陽系の模式図Ｍ２が表示された構造となっている。上記のように、円形表示部２０の表示面２１の観測点６０の下方に、観測点がある地球、その地球の周りに広がる太陽系、太陽系が存在する銀河系を段階的に表示することにより、地球から観察できる宇宙の広がりを把握しやすくすることができると同時に、地球から見たら巨大な銀河系宇宙といえども、実宇宙（ビッグバンから始まり膨張し続ける実際の宇宙）の大きさから見ると、ただの点にすぎない大きさであり、実宇宙と、地球や銀河系宇宙とのスケールの違いを把握しやすくなり、実宇宙の巨大さ・広大さを理解しやすくなる。
【００４２】
また、図１に示すように、この実施形態においては、円形表示部２０の表示面２１を覆う透明カバー３０が取付けられ、透明カバー３０の下方部分は、左右両側に分かれて下方に延出された一対の脚部３１，３２をなし、これらの脚部３１，３２が水平基板３７に連結されており、因果時間軸５０は、透明カバー３０の外側に回転可能に取付けられた構造となっている。これによれば、下方に延出されて水平基板３７に連結された透明カバー３０によって、円形表示部２０をより安定して支持することができると共に、円形表示部２０の表示面２１の汚れ等を防ぐことができる。
【００４３】
更に図１に示すように、この実施形態においては、透明カバー３０を構成する一対の脚部３１，３２は、地球を表す球体４３の両側を通って下方に伸びて水平基板３７に連結されており、地球を表す球体４３の一側方に位置する透明カバー３０には、ある場所のある日時の日の出の写真Ｆ１が配置されており、球体４３の反対側の側方に位置する透明カバー３０には、同じ場所の太陽の光が地球に届く時間分経過後の日の出の写真Ｆ２が配置されている。そのため、球体４３の一側方に表示された、ある場所のある日時に見える日の出の写真Ｆ１は、実際には太陽の光が地球に届く時間分前の太陽の姿を見ているのであり、そのときの実際の太陽の位置は、球体の他側方に表示された写真Ｆ２に示される位置であることを理解しやすくすることができる。このことからも、我々が観測可能な観測宇宙は、ビッグバンから始まり膨張し続ける実宇宙ではなく、いわば残像のようなものを観測しているに過ぎない、と理解することができる。
【００４４】
また、図２に示すように、この実施形態においては、円形表示部２０の表示面２１の裏側には、円形表示部２０の周縁に整合する外周縁を有する半球体２７が取付けられているので、宇宙の広がりを三次元的に把握することができる。
【００４５】
なお、本発明は、上述した実施形態に限定されるものではなく、本発明の要旨の範囲内で、各種の変形実施形態が可能であり、そのような実施形態も本発明の範囲に含まれる。
【符号の説明】
【００４６】
１０  実観構造宇宙儀（宇宙儀）
２０  円形表示部
２１  表示面
２３  中心
２５  周縁
２７  半球体
２８  目盛り
３０  透明カバー
３１，３２  脚部
３３  背面支持板
３４  支持部
３５  支柱
３７  水平基板
３９  棚板
４１  補助支柱
４３  球体
５０  因果時間軸
５１  先端
５３  基端
５５  支軸
６０  観測点
７０  観測宇宙領域
７１  周縁
７３  水平線
７５，７７，７９，８１  周縁
Ｆ１  ある場所のある日時の日の出の写真
Ｆ２  Ｆ１と同じ場所の太陽の光が地球に届く時間分経過後の日の出の写真
Ｌ  垂直線
Ｍ１  銀河系を中心とする宇宙の模式図
Ｍ２  太陽系の模式図
【図１】
2019144356.tif 000003
【図２】
2019144356.tif 000004
【図３】
2019144356.tif 000005